(57)【要約】【課題】  良好なヒューズ動作が可能であり、信頼性を向上することが可能な金属化フィルムコンデンサを提供する。【解決手段】  容量に寄与する金属領域４の幅Ｗよりも、電極引出し金属領域５の幅Ｗ２を小さくする。すなわち、容量に寄与する金属領域４の幅Ｗ、電極引出し金属領域５の幅Ｗ２、ヒューズ部６の幅Ｗ１とを比較すると、Ｗ＞Ｗ２＞Ｗ１とする。メタリコンと電極引出し金属領域５との間の接続部の長さＷ２を、電極幅Ｗより小にすることで、メタリコンと電極引出し金属領域５との間のヒューズの動作性を任意に設定でき、コンデンサの用途に応じたヒューズの設定が可能である。また、メタリコンと電極引出し金属領域５との間のヒューズ動作性とヒューズ部６の動作性をほぼ同じにすることもでき、異常時に確実にヒューズ動作させて絶縁破壊を確実に防ぐことができる。【選択図】    図１
2005072294.tif 000002
【特許請求の範囲】
【請求項１】
誘電体を挟んで対向する金属蒸着電極を有する金属化フィルムコンデンサにおいて、対向する金属蒸着電極のうち少なくとも一方は、フィルムの長手方向に金属蒸着電極を区分けする第１マージン部（２）を有し、またフィルムの長手方向に延びる第２マージン部（３）を形成して第２マージン部（３）にヒューズ部（６）を設け、このヒューズ部（６）に接続される電極引出し金属領域（５）をフィルムの長手方向に複数に区分けするとともに、第２マージン部（３）につながる第３マージン部（７）を設けることにより、電極引出し金属領域（５）のフィルム長手方向における長さ（Ｗ２）を、第１マージン部（２）間に形成される容量に寄与する金属領域（４）のフィルム長手方向における長さ（Ｗ）より小にしたことを特徴とする金属化フィルムコンデンサ。
【請求項２】
誘電体を挟んで対向する金属蒸着電極を有する積層形の金属化フィルムコンデンサにおいて、対向する金属蒸着電極のうち少なくとも一方は、容量に寄与する金属領域（４）と電極引出し金属領域（５）とを接続するヒューズ部（６）を有し、電極引出し金属領域（５）の電極引出し端面に沿う長さ（Ｗ２）を、容量に寄与する金属領域（４）の幅（Ｗ）より小にしたことを特徴とする積層形の金属化フィルムコンデンサ。
【発明の詳細な説明】
【技術分野】
【０００１】
この発明は、金属化フィルムコンデンサに関するものである。
【背景技術】
【０００２】
従来より、保安機構を有する金属化フィルムコンデンサ用のフィルムとしては、図５、及び図６に示すようなものが知られている。図５に示す金属化フィルムは、その一端部に長手方向に延びる端部マージン部２１を有すると共に、幅方向に延びる第１マージン部２２で、蒸着金属を所定の幅Ｗで長手方向に分割した構造を有するものである。このような構造の一対の金属化フィルムを、誘電体を挟んで、端部マージン部２１を互いに逆方向に配置して巻回すると共に、その両端部にメタリコンを施すことによって、コンデンサ素子を形成している。また、図６に示す金属化フィルムは、上記同様に端部マージン部２１、及び第１マージン部２２を有すると共に、さらに端部マージン部２１とは反対側において、やや内方の位置に、フィルムの長手方向に延びる第２マージン部２３を形成している。端部マージン部２１と第２マージン部２３との間が容量に寄与する金属領域２４となり、また第２マージン部２３よりも外側が電極引出し金属領域２５となる。そして、容量に寄与する金属領域２４と電極引出し金属領域２５との間は、幅Ｗ１の狭いヒューズ部２６によって接続されている。
【発明の開示】
【発明が解決しようとする課題】
【０００３】
ところで、上記図５に示す金属化フィルムには、メタリコンと電極引出し金属領域２５との間の接触を利用した保安機構を有するものであるが、メタリコンと電極引出し金属領域２５との間のヒューズ動作電流のコントロールが困難なため、良好にヒューズ動作させるための設定が難しいという欠点がある。また、図６に示す金属化フィルムには、第２マージン部２３にヒューズ部２６を設けたものであるが、図５のものと同様に、メタリコンと電極引出し金属領域２５との間で良好にヒューズ動作させることが難しい。
【０００４】
この発明は上記従来の欠点を解決するためになされたものであって、その目的は、良好なヒューズ動作が可能であり、その信頼性を向上することが可能な金属化フィルムコンデンサを提供することにある。
【課題を解決するための手段】
【０００５】
請求項１の金属化フィルムコンデンサは、誘電体を挟んで対向する金属蒸着電極を有する金属化フィルムコンデンサにおいて、対向する金属蒸着電極のうち少なくとも一方は、フィルムの長手方向に金属蒸着電極を区分けする第１マージン部２を有し、またフィルムの長手方向に延びる第２マージン部３を形成して第２マージン部３にヒューズ部６を設け、さらに、このヒューズ部６に接続される電極引出し金属領域５をフィルムの長手方向に複数に区分けするとともに、第２マージン部３につながる第３マージン部７を設けることにより、電極引出し金属領域５のフィルム長手方向における長さＷ２を、第１マージン部２間に形成される容量に寄与する金属領域４のフィルム長手方向における長さＷより小にしたことを特徴としている。
【０００６】
請求項２の金属化フィルムコンデンサは、誘電体を挟んで対向する金属蒸着電極を有する積層形の金属化フィルムコンデンサにおいて、対向する金属蒸着電極のうち少なくとも一方は、容量に寄与する金属領域４と電極引出し金属領域５とを接続するヒューズ部６を有し、電極引出し金属領域５の電極引出し端面に沿う長さＷ２を、容量に寄与する金属領域４の幅Ｗより小にしたことを特徴としている。
【発明の効果】
【０００７】
上記請求項１の金属化フィルムコンデンサでは、メタリコンと電極引出し金属領域５との間の接続部の長さＷ２を、容量に寄与する金属領域４幅Ｗより小にすることで、メタリコンと電極引出し金属領域５との間のヒューズの動作性を任意に設定でき、コンデンサの用途に応じたヒューズの設定が可能である。また、メタリコンと電極引出し金属領域５との間のヒューズ動作性とヒューズ部６の動作性をほぼ同じにすることもでき、異常時に確実にヒューズ動作させて絶縁破壊を確実に防ぐことができ、信頼性の向上した金属化フィルムコンデンサを提供できる。
【０００８】
上記請求項２の金属化フィルムコンデンサでは、請求項１と同様に、メタリコンと電極引出し金属領域５との間の接続部の長さＷ２を、容量に寄与する金属領域４幅Ｗより小にすることで、メタリコンと電極引出し金属領域５との間のヒューズの動作性を任意に設定でき、コンデンサの用途に応じたヒューズの設定が可能である。また、メタリコンと電極引出し金属領域５との間のヒューズ動作性とヒューズ部６の動作性をほぼ同じにすることもでき、異常時に確実にヒューズ動作させて絶縁破壊を確実に防ぐことができ、信頼性の向上した金属化フィルムコンデンサを提供できる。
【発明を実施するための最良の形態】
【０００９】
次にこの発明の金属化フィルムコンデンサの具体的な実施の形態について、図面を参照しつつ詳細に説明する。図１に第１実施形態を示している。この金属化フィルムは、その一端部に長手方向に延びる端部マージン部１を有すると共に、幅方向に延びる第１マージン部２で、蒸着金属を所定の幅Ｗで長手方向に分割した構造を有している。また、端部マージン部１とは反対側において、やや内方の位置に、フィルムの長手方向に延びる第２マージン部３を形成し、かつこの第２マージン部３とつながる第３マージン部７を形成している。端部マージン部１と第２マージン部３との間が容量に寄与する金属領域４となり、また第２マージン部３よりも外側が電極引出し金属領域５となる。この電極引出し金属領域５もフィルムの長手方向に複数に区分けされている。また、容量に寄与する金属領域４と電極引出し金属領域５との間は、幅Ｗ１の狭いヒューズ部６によって接続されている。そして、この金属化フィルムの特徴的な点は、第３マージン部７を設けることにより、容量に寄与する金属領域４の幅Ｗよりも、電極引出し金属領域５の幅Ｗ２を小さくしていることである。すなわち、容量に寄与する金属領域４の幅Ｗ、電極引出し金属領域５の幅Ｗ２、ヒューズ部６の幅Ｗ１とを比較すると、Ｗ＞Ｗ２＞Ｗ１としているということである。そして、このような構造の一対の金属化フィルムを、誘電体を挟んで、端部マージン部１を互いに逆方向に配置して巻回すると共に、その両端部にメタリコンを施すことによって、コンデンサ素子を形成している。
【００１０】
上記金属化フィルムコンデンサにおいては、メタリコンと電極引出し金属領域５との間の接続部の長さＷ２を、電極幅Ｗより小にすることで、メタリコンと電極引出し金属領域５との間のヒューズの動作性を任意に設定でき、コンデンサの用途に応じたヒューズの設定が可能である。また、メタリコンと電極引出し金属領域５との間のヒューズ動作性とヒューズ部６の動作性をほぼ同じにすることもでき、異常時に確実にヒューズ動作させて絶縁破壊を確実に防ぐことができ、信頼性の向上した金属化フィルムコンデンサを提供できる。
【００１１】
図２には、第２実施形態を示している。この実施形態は、１個の容量寄与金属領域（容量に寄与する金属領域）４に対して、２個（複数）の電極引出し金属領域５、５を設け、各電極引出し金属領域５、５をそれぞれヒューズ部６、６を介して容量寄与金属領域４に接続した構成のものである。また、図３には、第３実施形態を示しているが、この実施形態は、１個の容量寄与金属領域４に対して、１個の電極引出し金属領域５を設け、電極引出し金属領域５を、２個（複数）のヒューズ部６、６を介して容量寄与金属領域４に接続した構成のものである。これら各実施形態においても、上記第１実施形態と略同様の作用、効果が得られる。
【００１２】
図４には、積層形の金属化フィルムコンデンサに適用した第４実施形態（請求項２に対応）を示している。すなわち、図に示すように、この金属化フィルムコンデンサにおいては、容量に寄与する金属領域４と電極引出し金属領域５とをヒューズ部６によって接続すると共に、電極引出し金属領域５の電極引出し端面に沿う長さＷ２を、容量に寄与する金属領域４の幅Ｗよりも小にしている。この実施形態においても、上記第１実施形態と略同様の作用、効果が得られる。
【００１３】
以上この発明の具体的な実施の形態について説明したが、この発明は上記形態に限定されるものではなく、この発明の範囲内で種々変更して実施することができる。
【図面の簡単な説明】
【００１４】
【図１】本発明の金属化フィルムコンデンサに使用する金属化フィルムの第１実施形態を示す平面図である。
【図２】金属化フィルムの第２実施形態を示す平面図である。
【図３】金属化フィルムの第３実施形態を示す平面図である。
【図４】積層形金属化フィルムコンデンサに適用した第４実施形態を示す斜視図である。
【図５】従来の金属化フィルムを示す平面図である。
【図６】金属化フィルムの他の従来例を示す平面図である。
【符号の説明】
【００１５】
１  端部マージン部
２  第１マージン部
３  第２マージン部
４  容量に寄与する金属領域
５  電極引出し金属領域
６  ヒューズ部
７  第３マージン部
【図１】
2005072294.tif 000003
【図２】
2005072294.tif 000004
【図３】
2005072294.tif 000005
【図４】
2005072294.tif 000006
【図５】
2005072294.tif 000007
【図６】
2005072294.tif 000008